(57)【要約】【課題】  同じ箇所に２種類以上の表示を干渉することなく明確に区分して表示できるようにした表示装置を提供する。【解決手段】  反射表示部１０では、透光性のシート１１の外表面１１ａには指示部１０ａに第１の反射層１２が、背景部１０ｂに第２の反射層１３が設けられている。指示部１０ａと背景部１０ｂとでは、反射率が相違している。シート１１の内表面１１ｂには、第２の反射層１３の内側に位置する光制限層１４が設けられており、指示部１０ａと背景部１０ｂとで光の透過率の差が少なくなるように設定されている。外光が反射しているときには、反射表示部１０の指示部１０ａと背景部１０ｂとを、その光の反射率の差により目視できる。光６ａが与えられると、発光表示部２０からの光が指示部２０ａと背景部２０ｂの双方で透過し、発光表示部２０の表示内容を目視できる。【選択図】図３
2008132967.tif 000002
【特許請求の範囲】
【請求項１】
指示部と背景部とを有する反射表示部と、前記反射表示部よりも内側に位置する発光表示部とを備え、前記発光表示部から発せられる光が、前記反射表示部を透過して目視可能である表示装置であって、
前記指示部と前記背景部の光に対する反射率が互いに相違し、前記指示部と前記背景部の前記発光表示部から発せられる光に対する光透過率の差が前記反射率の差よりも小さいことを特徴とする表示装置。
【請求項２】
前記指示部と前記背景部は、前記発光表示部から発せられる光に対する光透過率がほぼ同じである請求項１記載の表示装置。
【請求項３】
前記反射表示部は、前記指示部と前記背景部とで反射率を相違させる反射層と、前記反射層よりも内側に位置して前記反射層が設けられていることによる前記指示部と前記背景部との光透過率の差を埋める光制限層とが設けられている請求項１記載の表示装置。
【請求項４】
前記反射表示部は、透光性の基板を有しており、前記基板の外面に前記反射層が設けられ、内面に前記光制限層が設けられている請求項３記載の表示装置。
【請求項５】
前記反射部は、透光性の基板を有しており、前記基板の内面に、前記反射層と前記光制限層の双方が設けられている請求項３記載の表示装置。
【請求項６】
前記反射表示部を照光する照光手段が設けられている請求項５記載の表示装置。
【請求項７】
前記発光表示部には、指示部と背景部とを有する第１の表示部、および指示部と背景部とを有する第２の表示部と、第１の波長の光を発する第１の発光部、および前記第１の波長と相違する第２の波長の光を発する第２の発光部とが設けられており、
前記第１の表示部の指示部と背景部での第１の波長の光に対する光透過率の差が、前記第２の表示部の指示部と背景部での第１の波長の光に対する光透過率の差よりも小さく、
前記第２の表示部の指示部と背景部での第２の波長の光に対する光透過率の差が、前記第１の表示部の指示部と背景部での第２の波長の光に対する光透過率の差よりも小さい請求項１に記載の表示装置。
【請求項８】
前記第１の表示部の指示部と背景部では、第１の波長の光に対する光透過率がほぼ同じであり、前記第２の表示部の指示部と背景部では、第２の波長の光に対する光透過率がほぼ同じである請求項７記載の表示装置。
【請求項９】
前記反射表示部は、その指示部と背景部とで、特定の波長の光に対する反射率が相違して、外光が与えられたときに目視される色相が相違し、
前記反射表示部の指示部と背景部とで、前記発光表示部から発せられる光の波長に対する光透過率がほぼ同じである請求項１に記載の表示装置。
【請求項１０】
前記反射表示部は、その指示部と背景部とで、特定の波長の光に対する反射率が相違して、外光が与えられたときに目視される色相が相違し、
前記反射表示部の指示部と背景部とで、前記第１の波長の光に対する光透過率と、前記第２の波長の光に対する光透過率がほぼ同じである請求項７記載の表示装置。
【請求項１１】
重ねられている第１のフィルタおよび第２のフィルタと、発光波長帯の中心波長が互いに相違する第１の光源および第２の光源とが設けられており、
第１のフィルタは、第１の指示部と第１の背景部とを有し、第２のフィルタは、第２の指示部と第２の背景部とを有しており、
第１の指示部と第１の背景部での、第２の光源からの光の透過率の差が、第２の指示部と第２の背景部での、第２の光源からの光の透過率の差よりも大きく、
第２の指示部と第２の背景部での、第１の光源からの光の透過率の差が、第１の指示部と第１の背景部での、第１の光源からの光の透過率の差よりも大きく、
第１の光源からの光を第１のフィルタと第２のフィルタに透過させると、第２のフィルタの第２の指示部と第２の背景部とのコントラストを表示でき、第２の光源からの光を第１のフィルタと第２のフィルタに透過させると、第１のフィルタの第１の指示部と第１の背景部とのコントラストを表示できることを特徴とする表示装置。
【請求項１２】
第１のフィルタの第１の指示部と第１の背景部の一方が、第１の光源からの光を透過できる着色部で、他方が第１の光源の光と第２の光源の光の双方を透過できる非着色部であり、
第２のフィルタの第２の指示部と第２の背景部の一方が、第２の光源からの光を透過できる着色部で、他方が第１の光源の光と第２の光源の光の双方を透過できる非着色部である請求項１１記載の表示装置。
【請求項１３】
第１のフィルタの着色部と、第１の光源から発せられる光とが同じ色相であり、第２のフィルタの着色部と、第２の光源から発せられる光とが同じ色相である請求項１２記載の表示装置。
【請求項１４】
第１のフィルタが第２のフィルタよりも表側にあり、第１のフィルタの前記非着色部に、第２の光源から発せられる光で励起されて光を発する蛍光層が設けられている請求項１２記載の表示装置。
【請求項１５】
前記第１の指示部と前記第２の指示部が重なって配置されている請求項１１に記載の表示装置。
【請求項１６】
前記両フィルタの表面側に光を透過する表面部材が設けられ、この表面部材に固定表示部が設けられており、第１の光源からの光が与えられたときと、第２の光源からの光が与えられたときの双方で、前記固定表示部を目視可能である請求項１１に記載の表示装置。
【請求項１７】
前記両フィルタと前記表面部材との間に、光の一部を反射し他を透過するハーフミラー層が設けられている請求項１６記載の表示装置。
【請求項１８】
前記ハーフミラー層よりも表側に光を与えて前記固定表示部を照光する照明用光源が設けられている請求項１６記載の表示装置。
【請求項１９】
指示部と背景部とを有するフィルタと、このフィルタを透過する光を与える光源と、このフィルタの表面に設けられた光を透過する表面部材とを有し、
前記フィルタは、指示部と背景部とで、前記光源から発せられた光の透過率が相違し、前記表示部材には固定表示部が設けられており、
前記フィルタと前記表面部材との間に、光の一部を反射し他を透過するハーフミラー層が設けられていることを特徴する表示装置。
【発明の詳細な説明】
【技術分野】
【０００１】
本発明は、電子機器の操作部などに設けられる表示装置に関するものであり、特に、同じ箇所に複数の指示表示を切換えて表示できる表示装置に関する。
【背景技術】
【０００２】
携帯用電子機器などでは、操作面に設けられた少ない数の入力部を利用して、複数の機能の入力操作を行うことが必要であり、ひとつの入力部を複数の入力操作に兼用している。そのために、例えば携帯用電話のテンキーでは、それぞれの入力釦に、数字表記と、ローマ字表記およびひらがな表記などが併記されている。操作者は、入力モードに応じて、どの表記にしたがって操作すべきかを個別に判断する必要がある。このような操作表示では、ひとつの入力釦で操作を兼用するモードの数が増えるにしたがって誤操作を生じやすくなる。【０００３】
同様に、携帯用電子機器では、限られた面積の表示部に各種モードに対応した表示を行うことが必要である。そのために、通常は表示部に多種の表示切換えが可能な液晶表示パネルを使用している。しかし、液晶表示パネルを設置できない小さな表示部に多種のモードに対応した表示を行おうとしたときに、これに適合する表示装置を構成するのが困難である。【０００４】
以下の特許文献１には、光の透過率の高い反射膜と光の透過率の低い反射膜が同じ面に形成されたハーフミラーが開示されている。このハーフミラーは、背部から光を与えないときは、正面から見たときに全面が鏡として機能し、背部の光源を点灯すると、その光の透過率がそれぞれの反射膜で相違することになって、透過率の低い反射膜と透過率の高い反射膜とを目視で識別でき、文字などを表示することが可能となる。【０００５】
次に、以下の特許文献２には、キー入力部に複数種類の指示を表示できる表示装置が開示されている。この表示装置は、透明なキートップの内側に、透光性のインクで描かれた第１の印刷層が設けられ、その内側に遮光性のインクで描かれた第２の印刷層が設けられている。さらに、第２の印刷層の内側に光源が設けられている。使用環境が明るいときには、使用者が前記第１の印刷層を目視でき、使用環境が暗くなったときには、前記光源を点灯することで、前記第２の印刷層を使用者が目視できるというものである。
【特許文献１】特開２００４−１９５１１１号公報
【特許文献２】特開２００５−２３５６７１号公報
【発明の開示】
【発明が解決しようとする課題】
【０００６】
しかし、特許文献１に開示されているハーフミラーは、背部から光を与えることで、透過率の低い反射膜で描かれた文字などを表示できるのみである。すなわち、ひとつの表示部に１種類の情報の表示しかできない。例えば、指示内容が変化しない固定された表示と、モードに応じて指示内容を切換える可変表示の双方を同時に表示することなどはできない。【０００７】
一方、特許文献２に開示されている表示装置では、第１の印刷層による指示表示と、第２の印刷層による指示表示の２種の指示表示を同じ箇所に表示できる。しかし、光源を点灯させて、第２の印刷層の指示表示を目視できるようにしているときに、その前方に位置する透光性のインクで描かれた第１の印刷層も薄く目視できてしまい、２つの指示表示が重なるように表示されるため、どの表示が正しいのかの判断が難しくなる。【０００８】
また、特許文献２に記載の発明では、２種の指示表示以外の第３の指示表示を設けておき、この第３の指示表示を常に表示しながら、前記２種の指示表示のいずれかを切換えて表示するといった表示方式に対応できない。【０００９】
本発明は、上記従来の課題を解決するものであり、複数の指示表示を切換えて明確に表示でき、指示表示の混同が生じにくい表示装置を提供することを目的としている。【００１０】
また本発明は、指示内容が変化しない固定された表示と、モードに応じて指示内容を切換える可変表示の双方を同時に表示することが可能な表示装置を提供することを目的としている。
【課題を解決するための手段】
【００１１】
本発明は、光に対する反射率が互いに相違する指示部と背景部とを有する反射表示部と、前記反射表示部よりも内側に位置する発光表示部とを備え、前記発光表示部から発せられる光が、前記反射表示部を透過して目視可能であり、
前記指示部と前記背景部の前記発光表示部から発せられる光に対する光透過率の差が前記反射率の差よりも小さいことを特徴とするものである。【００１２】
好ましくは、本発明は、前記指示部と前記背景部とで、前記発光表示部から発せられる光に対する光透過率がほぼ同じである。【００１３】
上記本発明では、発光表示部を発光させないときには、反射表示部による反射率の違いに基づく表示を目視でき、発光表示部を発光させると、発光表示部での表示内容が反射表示部を透過して目視できる。このとき、反射表示部の指示部と背景部で、発光表示部からの光を同じように透過できるため、発光表示部の表示内容を目視するときに反射表示部の表示内容がほとんど見えなくなる。よって、少なくとも２種の表示内容を切換えて明確に表示できる。【００１４】
本発明は、前記反射表示部が、前記指示部と前記背景部とで反射率を相違させる反射層と、前記反射層よりも内側に位置して前記反射層が設けられていることによる前記指示部と前記背景部との光透過率の差を埋める光制限層とが設けられているものである。【００１５】
例えば、前記反射表示部は、透光性の基板を有しており、前記基板の外面に前記反射層が設けられ、内面に前記光制限層が設けられている。【００１６】
あるいは、前記反射部は、透光性の基板を有しており、前記基板の内面に、前記反射層と前記光制限層の双方が設けられている。この場合には、前記基板内に光を与えて反射表示部を照光するための照光手段が設けられているものにでき、反射表示部の表示内容を、照明によって明るく表示することが可能である。【００１７】
また、本発明は、前記発光表示部には、指示部と背景部とを有する第１の表示部、および指示部と背景部とを有する第２の表示部と、第１の波長の光を発する第１の発光部、および前記第１の波長と相違する第２の波長の光を発する第２の発光部とが設けられており、
前記第１の表示部の指示部と背景部での第１の波長の光に対する光透過率の差が、前記第２の表示部の指示部と背景部での第１の波長の光に対する光透過率の差よりも小さく、
前記第２の表示部の指示部と背景部での第２の波長の光に対する光透過率の差が、前記第１の表示部の指示部と背景部での第２の波長の光に対する光透過率の差よりも小さいものである。【００１８】
好ましくは、前記第１の表示部の指示部と背景部では、第１の波長の光に対する光透過率がほぼ同じであり、前記第２の表示部の指示部と背景部では、第２の波長の光に対する光透過率がほぼ同じである。【００１９】
上記手段では、発光表示部に設けられた第１の表示部と第２の表示部とを切換えることで、それぞれの表示部の表示内容が干渉することなく、反射表示部を透過して目視することができる。【００２０】
また、本発明は、前記反射表示部は、その指示部と背景部とで、特定の波長の光に対する反射率が相違して、外光が与えられたときに目視される色相が相違し、
前記反射表示部の指示部と背景部とで、前記発光表示部から発せられる光の波長に対する光透過率がほぼ同じであるものとすることができる。【００２１】
さらに、本発明は、前記反射表示部は、その指示部と背景部とで、特定の波長の光に対する反射率が相違して、外光が与えられたときに目視される色相が相違し、
前記反射表示部の指示部と背景部とで、前記第１の波長の光に対する光透過率と、前記第２の波長の光に対する光透過率がほぼ同じである構造とすることが可能である。【００２２】
上記手段では、反射表示部からの表示内容を彩色された表示として目視でき、しかも発光表示部の内容も、少なくとも２種類の色相で表示させることができる。【００２３】
本発明は、重ねられている第１のフィルタおよび第２のフィルタと、発光波長帯の中心波長が互いに相違する第１の光源および第２の光源とが設けられており、
第１のフィルタは、第１の指示部と第１の背景部とを有し、第２のフィルタは、第２の指示部と第２の背景部とを有しており、
第１の指示部と第１の背景部での、第２の光源からの光の透過率の差が、第２の指示部と第２の背景部での、第２の光源からの光の透過率の差よりも大きく、
第２の指示部と第２の背景部での、第１の光源からの光の透過率の差が、第１の指示部と第１の背景部での、第１の光源からの光の透過率の差よりも大きく、
第１の光源からの光を第１のフィルタと第２のフィルタに透過させると、第２のフィルタの第２の指示部と第２の背景部とのコントラストを表示でき、第２の光源からの光を第１のフィルタと第２のフィルタに透過させると、第１のフィルタの第１の指示部と第１の背景部とのコントラストを表示できることを特徴とするものである。【００２４】
本発明の表示装置は、異なる波長の光を発する少なくとも２つの光源を有し、一方の光源の光を与えたときと、他方の光を与えたときとで、全く異なる指示部を表示できる。そのため、異なる色相の光を発する発光ダイオードを設け、この発光ダイオードを切換えて発光させるという簡単な回路制御で、表示を切換えることが可能である。【００２５】
例えば、本発明は、第１のフィルタの第１の指示部と第１の背景部の一方が、第１の光源からの光を透過できる着色部で、他方が第１の光源の光と第２の光源の光の双方を透過できる非着色部であり、
第２のフィルタの第２の指示部と第２の背景部の一方が、第２の光源からの光を透過できる着色部で、他方が第１の光源の光と第２の光源の光の双方を透過できる非着色部である。【００２６】
すなわち、本発明は、第１のフィルタの着色部と、第１の光源から発せられる光とが同じ色相であり、第２のフィルタの着色部と、第２の光源から発せられる光とが同じ色相である。【００２７】
さらに、本発明は、第１のフィルタが第２のフィルタよりも表側にあり、第１のフィルタの前記非着色部に、第２の光源から発せられる光で励起されて光を発する蛍光層が設けられているものとして構成できる。【００２８】
この場合に、第１の光源から発せられる光は、第１のフィルタの着色部と蛍光層とで、ほぼ同じ透過率で透過できることが好ましい。【００２９】
本発明は、前記第１の指示部と前記第２の指示部が重なって配置されているものとして構成できる。【００３０】
第１の指示部と第２の指示部が重なっていても、光源を切換えることにより、いずれか一方の指示部を明確に表示でき、しかも第１の指示部と第２の指示部を混同することがなく別々に表示できる。【００３１】
また、本発明は、前記両フィルタの表面側に光を透過する表面部材が設けられ、この表面部材に固定表示部が設けられており、第１の光源からの光が与えられたときと、第２の光源からの光が与えられたときの双方で、前記固定表示部を目視可能であるものとして構成できる。【００３２】
上記表面部材を設けることで、固定表示部を常に表示させたままの状態で、光源を切換えることで、第１の指示部と第２の指示部を切換えて表示できる。【００３３】
この場合に、前記両フィルタと前記表面部材との間に、光の一部を反射し他を透過するハーフミラー層が設けられていることが好ましい。【００３４】
ハーフミラー層を設けることで、光源を消灯しているときに、固定表示部の下側にある第１のフィルタや第２のフィルタの色が表面側から見えにくくなる。【００３５】
また、前記ハーフミラー層よりも表側に光を与えて前記固定表示部を照光する照明用光源が設けられていると、固定表示を明るく表示させることができる。この場合も、ハーフミラー層が設けられていると、照明用光源から発せられた光が原因となって、第１のフィルタの色相や第２のフィルタの色相が現れる現象を抑制しやすくなる。【００３６】
また、本発明は、指示部と背景部とを有するフィルタと、このフィルタを透過する光を与える光源と、このフィルタの表面に設けられた光を透過する表面部材とを有し、
前記フィルタは、指示部と背景部とで、前記光源から発せられた光の透過率が相違し、前記表示部材には固定表示部が設けられており、
前記フィルタと前記表面部材との間に、光の一部を反射し他を透過するハーフミラー層が設けられていることを特徴するものである。【００３７】
この場合も、前記ハーフミラー層よりも表側に光を与えて前記固定表示部を照光する照明用光源が設けられているものとして構成できる。【００３８】
また、本発明では、光源から発せられて前記フィルタを透過する光の経路と、前記照明用光源から発せられて前記表面部材に至る光の経路とが、反射面で仕切られているものが好ましい。
【発明の効果】
【００３９】
本発明では、複数の表示内容を明確に区分して同じ箇所に表示することができ、しかも複数の表示が干渉しにくい。よって、操作部や表示部に、複数種の表示や複数の色相の表示を、切換えて明確に示すことができる。【００４０】
本発明は、光源を切換えることによって第１の指示部と第２の指示部を切換えて明確なコントラストで表示できる。また、点灯する光源を異ならせることで、複数種の表示を異なる色相で実現できる。また、第１の指示部と第２の指示部を同じ箇所に区別して表示することが可能である。【００４１】
また、本発明では、常に表示されている固定表示と、電源を点灯したときにのみ表示される表示の双方を近接して表示できる。
【発明を実施するための最良の形態】
【００４２】
図１は本発明の第１の実施の形態の表示装置１の構造を示す断面図である。図２は、前記表示装置１外方において矢印ＩＩ方向から見た正面図であり、（Ａ）は反射表示部の表示内容を示し、（Ｂ）は発光表示部の表示内容を示している。【００４３】
図１と図２に示す表示装置１は、携帯電話機などの小型の携帯用電子機器の操作面において複数箇所に設けられている。この表示装置１は、各種の操作入力を行う入力部を兼ねている。【００４４】
表示装置１には、基板２が設けられ、この基板２の上に、スイッチ機構が設けられている。このスイッチ機構では、基板２の表面に、中央固定接点３と周辺固定接点４が設けられている。基板２の上にはドーム状に湾曲した可動接点５が設けられている。この可動接点５は導電性でばね性を有する板材で形成されており、周縁部が周辺固定接点４の上に設置され、中央部が中央固定接点３に間隔を空けて対向している。可動接点５が基板２に向けて押圧されると、可動接点５が反転し、可動接点５の内面の中央部が中央固定接点３に接触して、中央固定接点３と周辺固定接点４とが導通される。【００４５】
基板２の表面には、第１の可撓性シート１１と、この第１の可撓性シート１１よりも内側（基板２側）に設けられた第２の可撓性シート２１とが積層されている。第１の可撓性シート１１と第２の可撓性シート２１は、共に透光性の樹脂シートである。ここで、本明細書での「透光性」とは、光を透過させる性質であり、外部から与えられた光を必ずしも１００％透過するものに限られるものではない。【００４６】
基板２の上に、第２の可撓性シート２１と第１の可撓性シート１１の順に重ねられて接着剤で固定されている。前記可動接点５は、第２の可撓性シート２１の内側の面に接着されて固定されている。よって、可動接点５が反転するときに、その上に接着されている第１の可撓性シート１１と第２の可撓性シート２１も可動接点５と一緒に撓むことができる。【００４７】
第１の可撓性シート１１の上には、遮光層３０が設けられている。この遮光層３０は、第１の可撓性シート１１の表面に塗装を施すことにより形成され、または第１の可撓性シート１１の上に遮光用の樹脂シートを重なることで形成される。遮光層３０は、光の透過率がほぼ０％となるように黒色やその他の色相で彩色されている。【００４８】
可動接点５を有するスイッチ機構を有する部分が入力部であり、この入力部では、前記遮光層３０が欠如して、入力部と共にひとつの表示装置１が構成されている。【００４９】
図３は、前記表示装置１の基本構成とその動作原理を示す拡大断面図である。表示装置１では、前記第１の可撓性シート１１を含む反射表示部１０と、この反射表示部１０よりも内側（基板２側）に位置して、前記第２の可撓性シート２１を含む発光表示部２０とが設けられている。図３では、反射表示部１０と発光表示部２０とが離れているように記載されているが、実際は反射表示部１０と発光表示部２０は、密着して重ねられている。【００５０】
図１に示すように、基板２の表面では、周辺固定接点４の側方の複数箇所に、凹部２ａが形成されており、この凹部２ａ内に光源６が実装されている。この光源６は発光ダイオードなどである。この光源６が点灯しているときには、光源６から発せられた光が、発光表示部２０の第２の可撓性シート２１の内部に与えられて、発光表示部２０が発光動作モードとなる。図３では、発光表示部２０の動作を説明するために、第２の可撓性シート２１の内側（基板２側）から、第２の可撓性シート２１に向けて光６ａが与えられるものとして説明している。【００５１】
ただし、発光表示部２０を発光させるために、第２の可撓性シート２１の内側に発光ダイオードなどを設けてもよいし、第２の可撓性シート２１のさらに内側に、発光ダイオードなどの光源から発せられた光を発光表示部２０に導く導光層が配置されてもよい。あるいは、第２の可撓性シート２１のさらに内側にエレクトロルミネッセンス素子などのシート状の発光層が配置されてもよい。【００５２】
図３に示すように、反射表示部１０では、第１の可撓性シート１１の外側に向く外表面１１ａに、第１の反射層１２と第２の反射層１３とが形成されている。図２（Ａ）は、反射表示部１０を外側から見た平面図であるが、前記第１の反射層１２が成膜された領域によって指示部１０ａが形成され、前記第２の反射層１３が成膜された領域により背景部１０ｂが形成されている。指示部１０ａは、文字、図形、記号その他の模様を表現し、図２（Ａ）に示す例では、指示部１０ａが数字のパターンとなっている。背景部１０ｂは、表示装置１において、指示部１０ａ以外の領域である。ここで、指示部１０ａと背景部１０ｂとは、外光が与えられたときの光の反射率が互いに相違する領域であることを区分するための表現にすぎず、背景部１０ｂが記号や模様のパターンで形成されているものであってもよいし、指示部１０ａが特別に意味を持たないパターンに形成されていてもよい。【００５３】
図３に示すように、外光１５が、第１の可撓性シート１１の外表面１１ａに与えられたときに、第１の反射層１２と第２の反射層１３とで、外光１５に対する反射率が互いに相違している。図３の例では、第１の反射層１２での外光１５の反射率が４９％であり、第２の反射層１３は、外光１５の反射率が３０％である。第１の反射層１２で形成された指示部１０ａと、第２の反射層１３で形成された背景部１０ｂとで、外光１５の反射光量が相違するために、発光表示部２０が発光していないときには、指示部１０ａと背景部１０ｂとが異なる状態で目視でき、操作者は、表示装置１において、図２（Ａ）に示すように、指示部１０ａで描かれた数字の表示を読み取ることができる。【００５４】
図３に示すように、第１の可撓性シート１１の内側に向く内表面１１ｂでは、背景部１０ｂの領域に光制限層１４が設けられている。すなわち、背景部１０ｂでは、第２の反射層１３よりも内側で第２の反射層１３と重なるように光制限層１４が設けられている。この光制限層１４は、指示部１０ａと背景部１０ｂでの反射率の相違に起因する光の透過率の差を埋めるためのものであり、この光制限層１４を設けることで、指示部１０ａと背景部１０ｂでの反射率の差よりも、指示部１０ａと背景部１０ｂでの光透過率の差を小さくできる。【００５５】
図３に示す例では、光制限層１４は、発光表示部２０側から与えられる光に対する透過率が７０％である。背景部１０ｂでは、発光表示部２０側から反射表示部１０に与えられる光が、光制限層１４により制限されて光量の７０％が第１の可撓性シート１１に与えられる。この光量のうちのさらに３０％が、第２の反射層１３で反射されるため、背景部１０ｂでは、発光表示部２０側から与えられるう光のうちの４９％が外部へ透過できることになる。これに対し、指示部１０ａでは、発光表示部２０側からの光のほぼ１００％の光量が第１の可撓性シート１１に入射する。この光のうちの４９％は、第１の反射層１２により反射されるため、光量の４９％が、第１の反射層１２を透過して外方へ出る。【００５６】
なお、指示部１０ａにおいて、発光表示部２０側から与えられる光のほぼ１００％が第１の可撓性シート１１内に入射できるようにするために、指示部１０ａにおいて、第１の可撓性シート１１の内表面１１ｂに反射防止膜が形成されていることが好ましい。【００５７】
以上のように、反射表示部１０では、発光表示部２０側から与えられる光の透過率が、指示部１０ａと背景部１０ｂにおいて同じである。【００５８】
図３に示すように、発光表示部２０では、第２の可撓性シート２１の反射表示部１０に向けられた外表面２１ａに、表示層２２が形成されている。図２（Ｂ）に示すように、表示層２２が形成されている領域が指示部２０ａであり、表示層２２が形成されていない領域が、背景部２０ｂである。表示層２２は、光の透過率を制限するもの、または透過する光の波長を制限するものであり、例えば、白と黒以外の所定の色相のカラーフィルター層である。または表示層２２が光のほぼ全てを透過させない光遮断層であってもよい。背景部２０ｂは、第２の可撓性シート２１を透過した光が直接に出射されるものであってもよいし、または背景部２０ｂにおいて、第２の可撓性シート２１の外表面２１ａに所定の波長の光を透過するカラーフィルターが設けられていてもよい。この場合、指示部２０ａに設けられるカラーフィルターと、背景部２０ｂに設けられるカラーフィルターとで、透過する波長が相違するようにフィルターの色相を異ならせることが好ましい。【００５９】
発光表示部２０の指示部２０ａは、所定の文字、図形、記号あるいは模様を表現しているものであり、反射表示部１０の指示部１０ａとは異なる文字、図形、記号などが表示される。図２（Ｂ）の例では、指示部２０ａでローマ字が描かれている。【００６０】
この表示装置１では、光源６を点灯せずに発光表示部２０を発光させないときには、外光１５が反射表示部１０で反射され、指示部１０ａと背景部１０ｂとでの光反射率の相違により、図２（Ａ）に示すように、指示部１０ａで表現された数字表示を目視できる。光源６を点灯して、発光表示部２０に光６ａが与えられると、発光表示部２０から発せられる光が、反射表示部１０の指示部１０ａと背景部１０ｂとで同じ光透過率で外部へ出て行くため、外部からは、図２（Ｂ）に示すように、発光表示部２０での指示部２０ａと背景部２０ｂとのコントラストを目視できる。このとき、反射表示部１０の指示部１０ａと背景部１０ｂとでは、光透過率が同じであるため、図２（Ａ）に示す反射表示部１０の指示部１０ａと背景部１０ｂとをほとんど目視で識別できない。【００６１】
よって、光源６を消灯したときと点灯したときとで、図２（Ａ）に示す表示と、図２（Ｂ）に示す表示とを、目視で明確に区別することができる。【００６２】
また、指示部１０ａの反射率と背景部１０ｂとの反射率の差が５０％を越えないことが望ましい。このことにより、強い外光があたった場合でも反射表示部１０の指示部１０ａと背景部１０ｂとが目視で確認できにくくするために必要な光源６の光量を小さくする事が出来る。【００６３】
前記第１の可撓性シート１１と第２の可撓性シート２１は、ＰＭＭＡ（ポリメチルメタクリレート）、ＰＥＴ（ポリエチレン・テレフタレート）、アクリルなどの透明な樹脂シートで形成される。あるいは、第１の可撓性シート１１と第２の可撓性シート２１の代わりに、透光性で剛性の高い、非可撓性の透光板が使用されてもよい。【００６４】
第１の反射層１２と第２の反射層１３は、いわゆるハーフミラーを形成するための膜と同じであり、Ａｌ、Ａｇ、Ｃｒ、Ａｕなどの金属膜、またはＺｎＳ、ＣｅＯ2、ＴｉＯ2などの非金属膜である。これら金属膜または非金属膜を、第１の可撓性シート１１の外表面１１ａに蒸着などの手段で形成するが、このときに、第１の反射層１２と第２の反射層１３とで、膜の厚みや密度あるいは膜の種類を変えることで、光の反射率を互いに相違させることができる。【００６５】
光制限層１４は、発光表示部２０から与えられる光の一部を透過させるものである。例えば、光制限層１４は、光エネルギーの一部を内部で吸収する光吸収層であり、例えば屈折率（ｎ）と厚み（ｄ）との積（ｎ・ｄ）を変化させた金属膜や非金属膜を多数層に積層した光吸収フィルターや、誘電膜で形成された光吸収フィルターや、バインダー樹脂内にカーボンなどの黒色のフィラーを適度な濃度で分散させた光吸収フィルターなどで構成される。あるいは、光制限層１４は、所定の比率（例えば６０％）の光を透過させ、残りの（例えば４０％）の光を反射させる反射膜であってもよい。ただし、光制限層１４が反射膜であると、この光制限層１４と第２の反射層１３との間で、光の乱反射が繰り返されるおそれがあるため、光制限層１４は光吸収層であることが好ましい。【００６６】
前記表示層２２は、前述のように所定の波長の光を反射し且つ所定の波長の光を透過させるカラーフィルターで構成される。あるいは、表示層２２が、光源６から与えられる所定の波長の光で励起される蛍光層であってもよい。【００６７】
なお、図１の表示装置１では、反射表示部１０および発光表示部２０の下側に、固定接点３，４および可動接点５を有するスイッチ機構が配置されているが、発光表示部２０の下側に、静電容量型の入力パッドが配置されてもよい。静電容量型の入力パッドは、絶縁層を挟んで複数のＸ電極と複数のＹ電極が対向しているもので、複数のＸ電極と複数のＹ電極が順に選択されてパルス状の電圧が与えられる。発光表示部２０と反射表示部１０でこの入力パッドが覆われている。反射表示部１０の表面に指などのような接地されている導電体が触れると、Ｘ電極とＹ電極との間の静電容量に、Ｘ電極またはＹ電極と指との間の静電容量が付加されて、指などが触れた箇所において、Ｘ電極とＹ電極との間の静電容量が変化する。したがって、どの電極に電圧を印加したときに電極間の電圧の立ち上がりに鈍りが生じるかを検出することにより、指などが触れた位置を検出できる。【００６８】
前記のような静電容量型の入力パッドが使用される場合、第１の反射層１２や第２の反射層１３などは、非導電性であることが必要である。よって、第１の反射層１２や第２の反射層１３などの構成として、金属膜が平面的に不連続であり、金属膜が導電路を形成していない非導電性の反射膜とすることが必要である。【００６９】
図４以下は本発明の他の実施の形態を示している。それぞれの実施の形態において、図３に示す第１の実施の形態と同じ構造の部分には、同じ符号を付して、詳しい説明を省略する。【００７０】
図４は、第２の実施の形態の表示装置４１を示す断面図である。この表示装置４１は、発光表示部２０が、図３に示す表示装置１と同じ構造である。また、図４に示す表示装置４１では、発光表示部２０の外側に反射表示部１０Ａが重ねられて設けられている。この反射表示部１０Ａでは、透光性の第１の可撓性シート１１の内表面１１ｂに、第１の反射層１２と第２の反射層１３が形成されている。そして、第２の反射層１３のさらに内側には、光制限層１４が重ねられて成膜されている。反射表示部１０Ａでは、第１の反射層１２が形成されている領域が図２（Ａ）に示す指示部１０ａであり、第２の反射層１３と光制限層１４とが重ねられている領域が、図２（Ａ）に示す背景部１０ｂである。【００７１】
この表示装置４１では、反射表示部１０Ａの第１の可撓性シート１１を表面側の照明層として使用することができる。例えば、第１の可撓性シート１１に光を入射させる光源４２すなわち照光手段を対向させれば、第１の可撓性シート１１内を伝播する光によって、第１の反射層１２と第２の反射層１３とを明るく照らし出すことができる。【００７２】
反射表示部１０Ａでは、指示部１０ａと背景部１０ｂとで、外光に対する反射率が大きく相違し、また光源４２から第１の可撓性シート１１の内部に与えられる照明光に対しても反射率が大きく相違するために、指示部１０ａと背景部１０ｂとを区別して目視できる。また、光源４２を消灯し、発光表示部２０を発光させると、この発光表示部２０から発せられる光が、指示部１０ａと背景部１０ｂとを同じ光透過率で透過する。そのため、図２（Ｂ）に示す発光表示部２０の指示部２０ａと背景部２０ｂを明確に目視できる。【００７３】
図５は本発明の第３の実施の形態の表示装置６１を示す断面図である。この表示装置６１では、反射表示部１０の構造が図３に示す第１の実施の形態の表示装置１と同じである。または、図４と同じ構造の反射表示部１０Ａを使用することもできる。【００７４】
発光表示部５０には第１の透光性シート５１と第２の透光性シート５２とが重ねられて設けられている。図５では、反射表示部１０、および第１の透光性シート５１と第２の透光性シート５２とが離れて図示されているが、実際にはこれらは重ねられて密着させられている。【００７５】
第１の透光性シート５１の外表面には、第１のカラーフィルター５３が設けられている。第１の透光性シート５１と第１のカラーフィルター５３とで第１の表示部５０Ａが構成されている。この第１の表示部５０Ａでは、第１のカラーフィルター５３が設けられている領域が指示部５５であり、この指示部５５以外の領域が背景部である。第２の透光性シート５２の外表面には第２のカラーフィルター５４が設けられている。第２の透光性シート５２と第２のカラーフィルター５４とで第２の表示部５０Ｂが構成されている。この第２の表示部５０Ｂでは、第２のカラーフィルター５４が設けられている領域が指示部５６であり、この指示部５６以外の領域が背景部である。【００７６】
発光表示部５０に対しては、内側に設けられた第１の発光部から発せられる第１の波長の光５８と、第２の発光部から発せられる第２の波長の光５９とが、切換えられて与えられる。または、第１の波長の光５８と第２の波長の光５９とが、切換えられて、第２の透光性シート５２の内部に与えられてもよい。【００７７】
第１の透光性シート５１と第１のカラーフィルター５３での、第１の波長の光５８に対する光透過率の差が、第２の透光性シート５２と第２のカラーフィルター５４での、第１の波長の光５８に対する光透過率の差よりも小さい。すなわち、第１の表示部５０Ａの指示部５５と背景部での第１の波長の光５８に対する光の透過率の差が、第２の表示部５０Ｂの指示部５６と背景部での第１の波長の光５８に対する透過率の差よりも小さい。【００７８】
また、第２の透光性シート５２と第２のカラーフィルター５４での、第２の波長の光５９に対する光透過率の差が、第１の透光性シート５１と第１のカラーフィルター５３での、第２の波長の光５９に対する透過率の差よりも小さい。すなわち、第２の表示部５０Ｂの指示部５６と背景部での第２の波長の光５９に対する光の透過率の差が、第１の表示部５０Ａの指示部５５と背景部での第２の波長の光５９に対する透過率の差よりも小さい。【００７９】
図５の実施の形態では、第１の波長の光５８が赤色光であり、第１のカラーフィルター５３は、赤色の波長の光を反射し且つ赤色の波長の光を透過させるものであり、すなわち第１のカラーフィルター５３は赤色のカラーフィルターである。第２の波長の光５９は青色光であり、第２のカラーフィルター５４は、青色の波長の光を反射し且つ青色の波長の光を透過させるものであり、すなわち第２のカラーフィルター５４は青色のカラーフィルターである。【００８０】
また、反射表示部１０では、赤色光と青色光の双方の波長の光に対して、指示部１０ａと背景部１０ｂとで光透過率の差がほとんどない。【００８１】
図５に示す表示装置６１では、第１の波長の光５８と第２の波長の光５９の光源が消灯されているときには、外光が反射表示部１０の指示部１０ａと背景部１０ｂとで異なる反射率で反射されて、図２（Ａ）に示す指示部１０ａと背景部１０ｂを区別して目視することができる。【００８２】
第１の発光部が発光して、発光表示部５０に対して赤色光である第１の波長の光５８が与えられると、赤色光と青色の第２のカラーフィルター５４との混色により、第２の表示部の指示部５６が暗色になる。ただし、第２の透光性シート５２と第１の透光性シート５１および赤色の第１のカラーフィルター５３は、赤色光である第１の波長の光５８をほぼ同じ透過率で透過させる。さらに前記暗色の光と前記赤色光は、反射表示部１０の指示部１０ａと背景部１０ｂとでほぼ同じ透過率で透過する。そのため、外部からは、指示部５６が暗色でそれ以外の背景部が赤色に表示される。【００８３】
次に、第２の発光部が発光して、発光表示部５０に対して青色光である第２の波長の光５９が与えられると、この青色光と赤色の第１のカラーフィルター５３との混色により、第１の表示部の指示部５５が暗色になる。ただし、第２の透光性シート５２と青色の第２のカラーフィルター５４および第１の透光性シート５１は、青色光である第２の波長の光５９をほぼ同じ透過率で透過させる。さらに前記暗色と前記青色光は、反射表示部１０の指示部１０ａと背景部１０ｂとでほぼ同じ透過率で透過する。そのため、外部からは、指示部５５が暗色でそれ以外の背景部が青色に表示される。【００８４】
このように、発光表示部５０が発光していないときには、反射表示部１０の表示内容を目視でき、また第１の波長の光５８が与えられるときと、第２の波長の光５９が与えられるときとで、発光表示部５０が異なる２種類の表示パターンを表示でき、この２種類の表示パターンのそれぞれを反射表示部１０を透過して目視することができる。【００８５】
図６は本発明の第４の実施の形態の表示装置７１を断面図で示している。この表示装置７１は、発光表示部５０の構成が、図４に示した表示装置４１と同じである。【００８６】
発光表示部５０の外側に重ねられる反射表示部８０は、透光性の第１の可撓性シート８１を有しており、第１の可撓性シート８１の外表面８１ａに、第１の反射層（第１のフィルター）８２と第２の反射層（第２のフィルター）８３が設けられている。第１の反射層８２と第２の反射層８３は、互いに異なる波長帯の光を反射させまたは透過させ、他の波長帯の光を反射させたり透過させたりすることのできないカラーフィルターである。第１の反射層８２が設けられている領域が指示部８０ａであり、第２の反射層８３が設けられている領域が背景部８０ｂである。【００８７】
図７は、青（Ｂ）、緑（Ｇ）、赤（Ｒ）の光の波長とその強度との関係を示している。第１の反射層（第１のフィルター）８２と第２の反射層（第２のフィルター）８３のいずれか一方は、図７に示す波長帯域Ｗの光を反射させ且つ透過させる帯域フィルターである。この帯域フィルターは緑色であり、且つ赤色光と青色光をほぼ同等の透過率で透過させる。第１の反射層（第１のフィルター）８２と第２の反射層（第２のフィルター）８３の他方は、緑色以外の例えばグレーのフィルターであり、赤色光と青色光に対する透過率が、波長帯域Ｗの光を透過するフィルターとほぼ等しくなるものが使用される。【００８８】
図６に示す表示装置７１では、第１の波長の光５８と第２の波長の光５９を点灯させないときには、外光１５により、指示部８０ａと背景部８０ｂの一方が緑色で他方がグレーに表示され、指示部８０ａによる表示内容を認識できる。【００８９】
赤色光である第１の波長の光５８が与えられると、反射表示部８０の指示部８０ａと背景部８０ｂとで、赤色光の波長の光に対する透過率がほとんど同じであるため、外部からは、指示部５６が暗色で背景部が赤色に表示される。青色光である第２の波長の光５９が与えられると、反射表示部８０の指示部８０ａと背景部８０ｂとで、青色光の波長の光に対する透過率の差がほとんどないため、外部からは、指示部５５が暗色で背景部が青色に表示される。【００９０】
なお、反射表示部８０では、第１の反射層８２と第２の反射層８３を、第１の可撓性シート８１の内表面８１ｂに形成し、第１の可撓性シート８１の内部に光を与える照光手段を設けてもよい。この場合、第１の波長の光５８と第２の波長の光５９を与えず、第１の可撓性シート８１の内部に光を与えることにより、反射表示部８０の指示部８０ａと背景部８０ｂとの色相の違いを照明により明るく示すことができる。【００９１】
図８と図９は、本発明の第５の実施の形態の表示装置を使用した携帯用機器の操作部を、それぞれ異なる表示状態で示した平面図である。図１０は図８と図９に示す操作部の一部の操作機構部を図８のＩＩＩ−ＩＩＩ線で切断した部分断面図である。図１１は操作機構部を構成している部品の構造を示す断面図である。図１２（Ａ）（Ｂ）は、第５の実施の形態の操作部の表示の切換え動作を説明する説明図である。【００９２】
図８と図９は、携帯電話などの携帯用機器の操作部１０１を示す平面図である。操作部１０１では、上方位置にやや大きめの操作機構部１０２が設けられており、その下には、縦に４個で３列に配置された１２箇所の操作機構部１０３が設けられている。操作機構部１０２とそれぞれの操作機構部１０３は、押圧操作が可能である。また操作機構部１０２とそれぞれの操作機構部１０３は、その表面に操作指示を表示できる表示装置を備えている。【００９３】
図８と図９に示すように操作機構部２での「Mode」の表示、および操作機構部１０３での「０，１，２，３・・・＊、＃」の表示は、固定表示であり、光源の切換えにかかわらず常に表示されている。【００９４】
操作機構部１０２およびそれぞれの操作機構部１０３では、第１の光源１３１と第２の光源１３２を切換えることにより、照光表示を変えることができる。第２の光源１３２で照光されると、図８に示すように、操作機構部１０２に「Audio」の文字、および「矢印」の形の第１の指示部が表示される。第１の光源１３１で照光されると、図９に示すように、前記第１の指示部の表示が消え、その代わりに「Mail」の文字と、ひらがなの文字の第２の指示部が表示される。【００９５】
図１０は、操作機構部１０２の縦断面図である。操作機構部１０２と操作機構部１０３は、図８と図９に示す平面図での寸法が相違しているが、構造は基本的に同じである。【００９６】
図１０には、携帯用機器の合成樹脂製のパネル１１０が断面で示されている。操作機構部１０３では、前記パネル１１０に四角形の貫通穴１１１が設けられており、この貫通穴１１１に押釦１２０が押圧操作自在に設けられている。【００９７】
押釦１２０は、内側部材１２１と外側部材１２２および表面部材１２３とを有している。この３つの部材は、いずれもＰＭＭＡ（ポリメチルメタクリレート）樹脂やＰＣ（ポリカーボネート）樹脂などのように透光性の合成樹脂材料で形成されている。これらは無色で透明である。または、図８と図９に示す第１の指示部と第２の指示部の着色発光表示を妨げない範囲であれば、内部が薄く着色されていたり、または薄い乳白色であってもよい。また、前記３つの部材は、透明なエラストマー樹脂で形成されて外力が与えられたときに変形できるものであってもよい。【００９８】
図１１にも示すように、内側部材１２１は平坦面の上面１２１ａを有している。この上面１２１ａの上には、下から順番に第２のフィルタ１２６、第１のフィルタ１２５およびハーフミラー層１２７が重ねて設けられている。また、内側部材１２１の側面１２１ｂの全周には、ミラー層１２８が取り付けられている。【００９９】
図１１は、内側部材１２１の上面に、第２のフィルタ１２６、第１のフィルタ１２５およびハーフミラー層１２７を形成し、側面１２１ｂにミラー層を形成する製法の一例を示している。この例では、ＰＥＴなどの樹脂フィルムＦに、フィルム面側から順にハーフミラー層１２７、第１のフィルタ１２５、第２のフィルタ１２６を印刷工程で積層する。またその両側部で、樹脂フィルムＦのフィルム面にミラー層１２８を印刷工程で積層する。印刷工程で形成された各層が乾燥した後に、樹脂フィルムＦを、射出成形用の型の内面に設置し、透明な樹脂を前記型内に射出して、内側部材１２１を成型する。樹脂が硬化した後に、内側部材１２１を型から取り出し、樹脂フィルムＦを剥がすことで、前記各層が内側部材１２１の上面１２１ａと側面１２１ｂに転写される。【０１００】
図１２（Ａ）（Ｂ）は、第１のフィルタ１２５と第２のフィルタ１２６およびハーフミラー層１２７をそれぞれ拡大して示している。【０１０１】
第１のフィルタ１２５には、第１の指示部１２５ａと第１の背景部１２５ｂが形成されている。図８に示すように、操作機構部１０２では、第１の指示部１２５ａにより、「Audio」の文字が表示される。また、それぞれの操作機構部１０３では、第１の指示部１２５ａによって「矢印」などの記号が表示される。背景部１２５ｂは、着色されており、その色相は緑色である。すなわち、第１のフィルタ１２５は、透明なバインダー樹脂内に緑色の色素が含まれた緑色のインキで印刷されたものであり、この印刷の際にインキ層が付着しない非着色領域が形成され、この非着色領域が第１の指示部１２５ａとなる。なお、第１の指示部１２５ａを、色素を含まない透明な樹脂層で形成してもよい。【０１０２】
第２のフィルタ１２６には、第２の指示部１２６ａと第２の背景部１２６ｂが形成されている。図９に示すように、操作機構部１０２では、第２の指示部１２６ａで「Mail」の文字が表示される。また、操作機構部１０３では、第２の指示部１２６ａで「ひらがな文字」が表示される。第２の背景部１２６ｂは着色されており、その色相は青色である。第２のフィルタ１２６は、透明なバインダー樹脂内に青色の色素が含まれた青色のインクで印刷されたものであり、この印刷の際に、インキが付着しない非着色領域が第２の指示部１２６ａとされている。なお、第２の指示部１２６ａを、色素を含まない透明な樹脂層で形成してもよい。【０１０３】
また、第１のフィルタ１２５の第１の指示部１２５ａと、第２のフィルタ１２６の第２の指示部１２６ａは、同じ箇所に重ねられて配置されている。【０１０４】
図１６は、青色（Ｂ）と緑色（Ｇ）および赤色（Ｒ）の３原色の波長帯域とその光の強度を示している。第１のフィルタ１２５の第１の背景部１２５ｂは、図１６に示すＷＧの波長帯域の光のみが透過する。すなわち緑色の光のみが透過し、青色の光はほとんど透過しない。第２のフィルタ１２６の第２の背景部１２６ｂは、図１６に示すＷＢの波長帯域の光のみが透過する。すなわち青色の光のみが透過し、緑色の光はほとんど透過しない。なお、第１のフィルタ１２５の第１の指示部１２５ａと第２のフィルタ１２６の第２の指示部１２６ａは、共に全ての可視光が透過する。【０１０５】
図１０に示すように、パネル１１０の内方には、基板１１２が設置されており、この基板１１２の表面に第１の光源１３１と第２の光源１３２が設置されている。第１の光源１３１と第２の光源は発光ダイオードを含む発光ユニットである。第１の光源から発せられる第１の波長の光は緑色であり、第２の光源から発せられる第２の波長の光は青色である。【０１０６】
図１２（Ａ）（Ｂ）に示すように、第１のフィルタ１２５の第１の背景部１２５ｂは、第１の光源１３１の光を透過し、第２の光源１３２の光を透過させない。第２のフィルタ１２６の第２の背景部１２６ｂは、第２の光源の光を透過し、第１の光源１３１の光を透過しない。【０１０７】
すなわち、第１の背景部１２５ｂでは、第２の光源１３２からの青色の光１３２ａの透過率よりも、第１の光源１３１からの緑色の光１３１ａの透過率の方が高い。また、第２の背景部１２６ｂでは、第１の光源１３１からの緑色の光１３１ａの透過率よりも、第２の光源１３２からの青色の光１３２ａの透過率の方が高い。【０１０８】
よって、第１の指示部１２５ａと第１の背景部１２５ｂでの、第２の光源１３２からの光１３２ａの透過率の差が、第２の指示部１２６ａと第２の背景部１２６ｂでの、第２の光源１３２からの光１３２ａの透過率の差よりも大きい。また、第２の指示部１２６ａと第２の背景部１２６ｂでの、第１の光源１３１からの光１３１ａの透過率の差が、第１の指示部１２５ａと第１の背景部１２５ｂでの、第１の光源１３１からの光１３１ａの透過率の差よりも大きい。【０１０９】
ハーフミラー層１２７とミラー層１２８は、透明なバインダー樹脂にＡｌ、Ａｇ、Ｃｒ、Ａｕなどの金属フィラー、またはＺｎＳ、ＣｅＯ2、ＴｉＯ2などの非金属フィラーが含まれたインキで形成されている。ハーフミラー層２７は、白色光の一部を反射し一部を透過させることができるようにフィラーの含有率や膜厚が設定されており、ミラー層１２８は、白色光のほとんど全てを反射できるようにフィラーの含有率や膜厚が設定されている。または、ハーフミラー層１２７とミラー層１２８は、Ａｌ、Ａｇ、Ｃｒ、ＡｕやＺｎＳ、ＣｅＯ2、ＴｉＯ2などの蒸着膜で形成され、その膜厚を変えることで、ハーフミラー、あるいは全反射ミラーとすることができる。【０１１０】
なお、前記ミラー層１２８は、全反射ミラーであることが好ましいが、反射率の高いものであれば、ハーフミラー層１２７と連続するハーフミラー膜であってもよい。【０１１１】
図１０に示すように、外側部材１２２と表面部材１２３との境界部に、固定表示部１２９が設けられている。固定表示部１２９は、表面部材１２３の下面１２３ａを凹状とすることで形成されている。前述のように、操作機構部１０２では固定表示部１２９によって「Mode」の文字が表示されており、操作機構部１０３では固定表示部１２９によって、「０，１，２，３・・・＊、＃」の文字および記号が表示されている。【０１１２】
図１０に示すように、前記基板１１２の表面には、照明用光源１３３，１３３が設けられており、この照明用光源１３３，１３３は、外側部材１２２の下端に対向している。照明用光源１３３，１３３は白色光を発する発光ダイオードである。あるいは、第１の光源１３１と第２の光源とは異なる色相の光を発する発光ダイオードであってもよい。照明用光源１３３，１３３から発せられた光は、外側部材１２２の内部に与えられるが、前記ミラー層１２８が設けられているため、内側部材１２１の内部には入射しにくい。すなわち、第１の光源１３１および第２の光源１３２から発せられる光の経路と、照明用光源１３３，１３３から発せられる光の経路とが、ミラー層１２８によって仕切られている。【０１１３】
内側部材１２１の下端の中央部には押圧部１２１ｄが突出して一体に形成されている。基板１１２の表面には、押釦１２０を押圧したときに、前記押圧部１２１ｄで押されて動作するスイッチ機構１３５が設けられている。このスイッチ機構１３５は、金属製のドーム部材と、基板１１２の表面に形成された電極層とを有しており、押圧部１２１ｄでドーム部材が押されて反転すると、このドーム部材と電極層とが接触して、回路が閉じられる。【０１１４】
次に、操作機構部１０３に設けられている表示装置の表示内容の切換え動作について説明する。図１２（Ａ）（Ｂ）では、第１のフィルタ１２５と第２のフィルタ１２６とハーフミラー層１２７および表面部材１２３での光の透過状態を模式図で説明している。【０１１５】
図１２（Ａ）は、第１の光源１３１が消灯し第２の光源１３２が点灯したときの動作を示している。このとき図８に示す表示状態となる。図１２（Ｂ）は、第１の光源１３１が点灯し第２の光源１３２が消灯したときの動作を示しており、このとき図９に示す表示状態となる。図１２（Ａ）（Ｂ）では、第１の光源１３１から発せられた緑色の光１３１ａ、第２の光源１３２から発せられた青色の光１３２ａ、および照明用光源１３３から発せられた光１３３ａをそれぞれ矢印で示している。【０１１６】
表面部材１２３の下面１２３ａに凹状に形成された固定表示部１２９は、表面部材１２３内の光が反射するために、常に表面部材１２３の前方から目視できる。照明用光源１３３が点灯していないときには、外光が表面部材１２３と外側部材１２２内に入り、ハーフミラー層１２７でその光の一部が反射されるため、固定表示部１２９を目視で認識することができる。【０１１７】
照明用光源１３３が点灯すると、その光１３３ａは、外側部材１２２から表面部材１２３に導かれる。この光は、固定表示部１２９で乱反射されるために、表面部材１２３よりも前方において固定表示部１２９が明るく表示される。【０１１８】
また、外側部材１２２内に導かれた光１３３ａは、ミラー層１２８で遮られるために、内側部材１２１の側面１２１ｂから内部に進行することはない。また、第１のフィルタ１２５の上にはハーフミラー層１２７が設けられているため、外側部材１２２内に導かれている照明用光源１３３の光１３３ａは、第１のフィルタ１２５にも侵入しにくい。【０１１９】
よって、第１の光源１３１と第２の光源１３２の双方が消灯しているときには、照明用光源１３３が点灯していても、第１の指示部１２５ａの表示と第２の指示部１２６ａの表示が、表面部材１２３の前方からほとんど見えることはなく、固定表示部１２９のみが明瞭に目視される。【０１２０】
図１２（Ａ）に示すように、第２の光源１３２から青色の光１３２ａが与えられると、この光１３２ａは、同じ青色の第２のフィルタ１２６の第２の背景部１２６ｂを透過し、また第２の指示部１２６ａを透過する。第２のフィルタ１２６を透過した光は全ての領域で青色の光である。その上に位置する第１のフィルタ１２５では、第１の指示部１２５ａを前記青色の光が透過し、さらにハーフミラー層１２７を透過して表面部材１２３に与えられる。また、第１のフィルタ１２５の第１の背景部１２５ｂは、図１６に示すように、透過波長の帯域ＷＧが狭く、青色の光をほとんど透過させない。よって、第１の背景部１２５ｂは表面部材１２３の前方から見て暗色となる。【０１２１】
よって、図８に示すように、押釦１２０の表面では、固定表示部１２９が見えるとともに、この固定表示部１２９の側方に第１の指示部１２５ａが青色で明るく表示される。また、固定表示部１２９の内側には第１の背景部１２５ｂが対向しているため、固定表示部１２９と第１の指示部１２５ａの背景となる部分はほとんど黒色の暗色である。このとき、照明用光源１３３が点灯しなくても、外光がハーフミラー層１２７を反射することで、固定表示部１２９を目視できるが、照明用光源１３３を点灯させると、固定表示部１２９を明るく照らすことができ、固定表示部１２９と第１の指示部１２５ａを同時に明るく見ることができる。【０１２２】
図１２（Ｂ）に示すように、第１の光源１３１から緑色の光１３１ａが与えられると、この光１３１ａは、第２のフィルタ１２６の第２の指示部１２６ａを透過する。ただし、図１６に示すように、第２のフィルタ１２６の第２の背景部１２６ｂは透過する光の波長帯域ＷＢが狭いため、第２の背景部１２６ｂを緑色の光１３１ａがほとんど透過しない。よって、第１の光源１３１からの光１３１ａは、第２の指示部１２６ａのみを透過する。第１のフィルタ１２５では、第１の指示部１２５ａと第１の背景部１２５ｂの双方で、緑色の光１３１ａを透過させることができる。【０１２３】
よって、図９に示すように、押釦１２０では、固定表示部１２９の側方において、第２の指示部１２６ａを緑色の光で明るく表示させることができる。また、固定表示部１２９の裏側に第２の背景部１２６ｂが対向しているため、固定表示部１２９と第２の指示部１２６ａ以外の背景は全てほぼ黒色の暗色となる。また、照明用光源１３３を点灯すると、暗い背景の表面で固定表示部１２９を明るく照らすことができる。【０１２４】
このように、第１の光源１３１を点灯したときと第２の光源１３２を点灯したときとで、同じ箇所に「Audio」と「Mail」のように異なる表示を異なる色彩で別々に表示できる。しかも背景が暗色であるため、前記表示および固定表示部２９が明瞭に表示されるようになる。【０１２５】
なお、前記実施の形態では、第１のフィルタ１２５と第２のフィルタ１２６が、重ねて形成された印刷層であるが、透明なフィルムの表面に、背景部にのみ着色層が形成されて、第１のフィルタ１２５および第２のフィルタ１２６として使用されてもよい。または、１枚のフィルムの一方の面に第１の背景部１２５ｂを形成する着色層が形成され、他方の面に第２の背景部１２６ｂを形成する着色層が形成されて、第１のフィルタ１２５と第２のフィルタ１２６とが１枚のフィルムで構成されてもよい。【０１２６】
また、固定表示部１２９は、表面部材１２３の下面１２３ａなどに所定の色のインクで印刷形成されたものであってもよいし、あるいは固定表示部１２９を形成する凹部の内部に乳白色の樹脂層や蛍光体層が埋め込まれたものであってもよい。【０１２７】
図１３（Ａ）（Ｂ）は第５の実施の形態の表示装置の変形例を示している。
図１３（Ａ）（Ｂ）では、第１のフィルタ１２５の第１の指示部２２５ａが蛍光体層である点で、図１２（Ａ）（Ｂ）と相違しており、その他の構成は全て図１２（Ａ）（Ｂ）と同じである。【０１２８】
第１の指示部２２５ａを形成している蛍光体層は、青色の光が与えられると励起して白色系の光を発光する。また蛍光体層は青色以外の色の光では励起されず、青色以外の色の光は、第１の背景部１２５ｂとほぼ同じ透過率で透過させる。【０１２９】
第１のフィルタ１２５の製造方法は、図１１に示す樹脂フィルムＦに第１のフィルタ１２５を他の層と共に形成する際に、緑色の着色インクで第１の背景部１２５ｂを印刷した後に、着色インクが付着していない領域に蛍光体層を印刷して、第１の指示部２２５ａを形成する。【０１３０】
図１３（Ａ）に示すように、第２の光源１３２から青色の光１３２ａが与えられると、この光１３２ａは、第２のフィルタ１２６の第２の指示部１２６ａと第２の背景部１２６ｂの双方を透過する。第１のフィルタ１２５では、第１の指示部２２５ａに設けられた蛍光体層に青色の光が与えられて励起され、第１の指示部２２５ａから白色の光を発する。ただし、青色の光は、第１のフィルタ１２５の第１の背景部１２５ｂを透過しない。よって、第１の指示部２２５ａが白色の蛍光色で発色し、この第１の指示部２２５ａと固定表示部１２９以外の背景部は暗色となる。【０１３１】
図１３（Ｂ）に示すように、第１の光源１３１から緑色の光１３１ａが与えられると、この光１３１ａは、第２のフィルタ１２６の第２の指示部１２６ａを透過し、第２の背景部１２６ｂで遮られる。第２の指示部１２６ａを透過した緑色の光は、第１のフィルタ１２５の第１の背景部１２５ｂと第１の指示部２２５ａの双方を透過する。よって、このときの表示状態は、図１２（Ｂ）と同じである。【０１３２】
図１４（Ａ）（Ｂ）は、本発明の第６の実施の形態の表示装置を示している。第２の実施の形態の表示装置は、第１のフィルタ３２５と第２のフィルタ３２６の構成が、図１２（Ａ）（Ｂ）に示す第５の実施の形態と相違しているが、その他の構造は、第５の実施の形態と同じである。【０１３３】
図１４（Ａ）（Ｂ）に示す第６の実施の形態では、第１のフィルタ３２５の第１の指示部３２５ａに緑色の着色層が設けられ、第１の指示部３２５ａでは図１６に示す波長帯域ＷＧの光のみを透過する。第１のフィルタ３２５では、第１の背景部３２５ｂには着色層が設けられておらず、第１の背景部３２５ｂは、全ての波長の可視光を透過する非着色部である。【０１３４】
第２のフィルタ３２６は、第２の指示部３２６ａに青色の着色層が設けられ、第２の指示部３２６ａでは、図１６に示す波長帯域ＷＢの光のみを透過する。第２の背景部３２６ｂには着色層が設けられておらず、第２の背景部３２６ｂは、全ての波長の可視光を透過する非着色部である。【０１３５】
図１４（Ａ）に示すように、第２の光源１３２の青色の光１３２ａが与えられると、第２のフィルタ３２６では、第２の指示部３２６ａと第２の背景部３２６ｂの双方で、青色の光１３２ａが透過する。ただし、第１のフィルタ３２５の第１の指示部３２５ａでは青色の光が透過しない。【０１３６】
よって、図８に示す押釦１２０では、「Mode」の固定表示部１２９の横に、第１の指示部３２５ａの「Audio」の文字が暗色で表示され、固定表示部１２９と第１の指示部３２５ａの背景は、全て青色に照らされる。【０１３７】
図１４（Ｂ）に示すように、第１の光源１３１の緑色の光１３１ａが与えられると、この光１３１ａは、第２のフィルタ３２６の第２の指示部３２６ａで遮られ、光１３１ａは、第２の背景部３２６ｂのみを透過する。一方、第１のフィルタ３２５では、第１の指示部３２５ａと第２の背景部３２５ｂの双方で光１３１ａを透過させることができる。【０１３８】
よって、図９に示す押釦１２０では、「Mode」の固定表示部１２９の横に、第２の指示部３２６ａの「Mail」の文字が暗色で表示される。また、固定表示部１２９と第２の指示部３２６ａ以外の背景は、緑色で明るく照らされる。【０１３９】
前記第５の実施の形態と第６の実施の形態では、表示装置が押釦１２０に設けられている。ただし、本発明の表示装置は押釦１２０に装備されるものに限られず、例えば図１５に示すように静電容量型の入力パッド１４１と組み合わせることができる。図１５では、静電容量型の入力パッド１４１が光透過型として構成されている。【０１４０】
この入力パッド１４１の表面に第２のフィルタ１２６、第１のフィルタ１２５が重ねられ、その上にはハーフミラー層１２７を介して、透明な表面部材１２３が設けられている。図１２（Ａ）（Ｂ）に示したように、表面部材１２３には固定表示部１２９が設けられている。また第１のフィルタ１２５は第１の指示部１２５ａと第１の背景部１２５ｂを有し、第２のフィルタ１２６は第２の指示部１２６ａと第２の背景部１２６ｂを有している。また、光透過性の入力パッド１４１の下側に第１の光源１３１と第２の光源１３２が設けられている。また照明用光源１３３から表面部材１２３に照明用の光が与えられる。なお、表面部材１２３は透明な樹脂フィルムで構成されている。【０１４１】
入力パッド１４１は、透明な絶縁層を挟んで複数のＸ電極と複数のＹ電極が対向している。Ｘ電極とＹ電極は透明電極である。駆動回路によって複数のＸ電極と複数のＹ電極が順に選択されてパルス状の電圧が与えられる。表面部材２３の表面に指などのような接地されている導電体が触れると、Ｘ電極とＹ電極との間の静電容量に、Ｘ電極またはＹ電極と指との間の静電容量が付加されて、指などが触れた箇所において、Ｘ電極とＹ電極との間の静電容量が変化する。したがって、どの電極に電圧を印加したときに電極間の電圧の立ち上がりに鈍りが生じるかを検出することにより、指などが触れた位置を検出できる。【０１４２】
そして、第１の光源１３１と第２の光源１３２を切換えて点灯することで、図８と図９に示したのと同様に表示を切換えることができる。なお、図１５において、第１のフィルタ１２５と第２のフィルタ１２６が入力パッド１４１の下側に設けられてもよい。
【図面の簡単な説明】
【０１４３】
【図１】本発明の第１の実施の形態の表示装置を備えた入力部の断面図、
【図２】（Ａ）は反射表示部の表示内容を示す平面図、（Ｂ）は発光表示部の表示内容を示す平面図、
【図３】第１の実施の形態の表示装置の構成を示す断面図、
【図４】第２の実施の形態の表示装置の構成を示す断面図、
【図５】第３の実施の形態の表示装置の構成を示す断面図、
【図６】第４の実施の形態の表示装置の構成を示す断面図、
【図７】青、緑、赤の光の波長帯域を示す線図、
【図８】本発明の第５の実施の形態の表示装置を備えた操作部の表示動作を示す平面図、
【図９】本発明の第５の実施の形態の表示装置を備えた操作部の他の表示動作を示す平面図、
【図１０】図８，図９に示す操作機構部の断面図、
【図１１】操作機構部の部品の一部を示す断面図、
【図１２】（Ａ）（Ｂ）は、第５の実施の形態の表示装置の表示動作の切換え状態を示す説明図、
【図１３】（Ａ）（Ｂ）は、第５の実施の形態の変形例の表示装置の表示動作の切換え状態を示す説明図、
【図１４】（Ａ）（Ｂ）は、第６の実施の形態の表示装置の表示動作の切換え状態を示す説明図、
【図１５】表示装置を入力パッドに組み合わせた例を示す断面図、
【図１６】青、緑、赤の光の波長帯域を示す線図、
【符号の説明】
【０１４４】
１，４１，６１，７１  表示装置
２  基板
３  中央固定接点
４  周辺固定接点
５  可動接点
６  光源
１０  反射表示部
１０ａ  指示部
１０ｂ  背景部
１１  第１の可撓性シート
１２  第１の反射層
１３  第２の反射層
１４  光制限層
１５  外光
２０  発光表示部
２０ａ  指示部
２０ｂ  背景部
２１  第２の可撓性シート
２２  表示層
５０  発光表示層
５１  第１の表示部の第１の透光性シート
５２  第２の表示部の第２の透光性シート
５３  第１の表示部の第１のカラーフィルター
５４  第２の表示部の第２のカラーフィルター
５５  第１の表示部の指示部
５６  第２の表示部の指示部
５８  第１の波長の光
５９  第２の波長の光
８０  反射表示部
８１  第１の可撓性シート
８２  第１の反射層（第１のフィルター）
８３  第２の反射層（第２のフィルター）
１０１  操作部
１０２  操作機構部
１０３  操作機構部
１２０  押釦
１２１  内側部材
１２２  外側部材
１２３  表面部材
１２５  第１のフィルタ
１２５ａ  第１の指示部
１２５ｂ  第１の背景部
１２６  第２のフィルタ
１２６ａ  第２の指示部
１２６ｂ  第２の背景部
１２７  ハーフミラー層
１２８  ミラー層
１３１  第１の光源
１３２  第２の光源
１３３  照明用光源
２２５ａ  蛍光体層を備えた第１の指示部
【図１】
2008132967.tif 000003
【図２】
2008132967.tif 000004
【図３】
2008132967.tif 000005
【図４】
2008132967.tif 000006
【図５】
2008132967.tif 000007
【図６】
2008132967.tif 000008
【図７】
2008132967.tif 000009
【図８】
2008132967.tif 000010
【図９】
2008132967.tif 000011
【図１０】
2008132967.tif 000012
【図１１】
2008132967.tif 000013
【図１２】
2008132967.tif 000014
【図１３】
2008132967.tif 000015
【図１４】
2008132967.tif 000016
【図１５】
2008132967.tif 000017
【図１６】
2008132967.tif 000018
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
指示部と背景部とを有する反射表示部と、前記反射表示部よりも内側に位置する発光表示部とを備え、前記発光表示部から発せられる光が、前記反射表示部を透過して目視可能である表示装置であって、
前記指示部と前記背景部の光に対する反射率が互いに相違し、前記指示部と前記背景部の前記発光表示部から発せられる光に対する光透過率の差が前記反射率の差よりも小さいことを特徴とする表示装置。
【請求項２】
前記指示部と前記背景部は、前記発光表示部から発せられる光に対する光透過率がほぼ同じである請求項１記載の表示装置。
【請求項３】
前記反射表示部は、前記指示部と前記背景部とで反射率を相違させる反射層と、前記反射層よりも内側に位置して前記反射層が設けられていることによる前記指示部と前記背景部との光透過率の差を埋める光制限層とが設けられている請求項１記載の表示装置。
【請求項４】
前記反射表示部は、透光性の基板を有しており、前記基板の外面に前記反射層が設けられ、内面に前記光制限層が設けられている請求項３記載の表示装置。
【請求項５】
前記反射表示部は、透光性の基板を有しており、前記基板の内面に、前記反射層と前記光制限層の双方が設けられている請求項３記載の表示装置。
【請求項６】
前記反射表示部を照光する照光手段が設けられている請求項５記載の表示装置。
【請求項７】
前記発光表示部には、指示部と背景部とを有する第１の表示部、および指示部と背景部とを有する第２の表示部と、第１の波長の光を発する第１の発光部、および前記第１の波長と相違する第２の波長の光を発する第２の発光部とが設けられており、
前記第１の表示部の指示部と背景部での第１の波長の光に対する光透過率の差が、前記第２の表示部の指示部と背景部での第１の波長の光に対する光透過率の差よりも小さく、
前記第２の表示部の指示部と背景部での第２の波長の光に対する光透過率の差が、前記第１の表示部の指示部と背景部での第２の波長の光に対する光透過率の差よりも小さい請求項１に記載の表示装置。
【請求項８】
前記第１の表示部の指示部と背景部では、第１の波長の光に対する光透過率がほぼ同じであり、前記第２の表示部の指示部と背景部では、第２の波長の光に対する光透過率がほぼ同じである請求項７記載の表示装置。
【請求項９】
前記反射表示部は、その指示部と背景部とで、特定の波長の光に対する反射率が相違して、外光が与えられたときに目視される色相が相違し、
前記反射表示部の指示部と背景部とで、前記発光表示部から発せられる光の波長に対する光透過率がほぼ同じである請求項１に記載の表示装置。
【請求項１０】
前記反射表示部は、その指示部と背景部とで、特定の波長の光に対する反射率が相違して、外光が与えられたときに目視される色相が相違し、
前記反射表示部の指示部と背景部とで、前記第１の波長の光に対する光透過率と、前記第２の波長の光に対する光透過率がほぼ同じである請求項７記載の表示装置。
【請求項１１】
（削除）
【請求項１２】
（削除）
【請求項１３】
（削除）
【請求項１４】
（削除）
【請求項１５】
（削除）
【請求項１６】
重ねられている第１のフィルタおよび第２のフィルタと、発光波長帯の中心波長が互いに相違する第１の光源および第２の光源とが設けられており、
第１のフィルタは、第１の指示部と第１の背景部とを有し、第２のフィルタは、第２の指示部と第２の背景部とを有しており、
第１の指示部と第１の背景部での、第２の光源からの光の透過率の差が、第２の指示部と第２の背景部での、第２の光源からの光の透過率の差よりも大きく、
第２の指示部と第２の背景部での、第１の光源からの光の透過率の差が、第１の指示部と第１の背景部での、第１の光源からの光の透過率の差よりも大きく、
第１の光源からの光を第１のフィルタと第２のフィルタに透過させると、第２のフィルタの第２の指示部と第２の背景部とのコントラストを表示でき、第２の光源からの光を第１のフィルタと第２のフィルタに透過させると、第１のフィルタの第１の指示部と第１の背景部とのコントラストを表示できることを特徴とする表示装置であって、
前記両フィルタの表面側に光を透過する表面部材が設けられ、この表面部材に固定表示部が設けられており、第１の光源からの光が与えられたときと、第２の光源からの光が与えられたときの双方で、前記固定表示部を目視可能であり、
前記固定表示部照明用の光源が設けられており、該光源からの光が、前記第１、第２の光源からの光の経路とは仕切られた経路で前記固定表示を照明することを特徴とする表示装置。
【請求項１７】
前記両フィルタと前記表面部材との間に、光の一部を反射し他を透過するハーフミラー層が設けられている請求項１６記載の表示装置。
【請求項１８】
前記固定表示部照明用の光源は、前記ハーフミラー層よりも表側に光を与えるものである、請求項１６記載の表示装置。
【請求項１９】
（削除）
【請求項２０】
前記第１、第２のフィルタはドーム部材を押圧する押圧部材内に形成され、前記固定表示部は前記押圧部材を駆動する押釦状の表面部材内に形成されていることを特徴とする、請求項１６記載の表示装置。
【国際調査報告】
2008132967.tif 000019
2008132967.tif 000020
2008132967.tif 000021
2008132967.tif 000022
2008132967.tif 000023
2008132967.tif 000024
2008132967.tif 000025
2008132967.tif 000026